(57)【特許請求の範囲】
【請求項１】
少なくとも１つのエンタルピ交換器モジュール（Ｍｉ）を備えた、空気処理及び空気調和のためのシステム（１００）であって、第１の空気流（Ｆ１）および前記第１空気流よりも低い温度及び絶対湿度を有する第２の空気流（Ｆ２）から成る２つの空気流間の熱伝達及び水蒸気移動を可能にする二重空気流を有するシステム（１００）において、
前記システムは、
前記エンタルピ交換器モジュール（Ｍｉ）の入口における前記第１空気流（Ｆ１）の相対湿度（ｈｒｉ）を測定するための手段（２０）と、
前記相対湿度（ｈｒｉ）が所定の値（ｈｒｒ）を上回っている場合に、前記第１空気流（Ｆ１）が前記エンタルピ交換器モジュールに入る前に前記第１空気流（Ｆ１）への熱供給を命令するように構成されている制御手段（６）と、
前記第１空気流（Ｆ１）が前記エンタルピ交換器モジュール（Ｍｉ）から出た後に通過する蒸発器（１０）及びコンデンサ（１２）を具備する蒸気圧縮冷凍ユニット（４）とをさらに備え、
前記熱供給が前記蒸気圧縮冷凍ユニット（４）から行われるように前記システムが設計されていることを特徴とする、前記システム（１００）。
【請求項２】
前記熱供給を前記第１の空気流（Ｆ１）に提供するように設計された第２の交換器（２２）を備えていることを特徴とする、請求項１に記載の空気処理及び空気調和のためのシステム。
【請求項３】
直列に配列されると共に、前記第１空気流（Ｆ１）及び前記第２空気流（Ｆ２）を連続的に通過させる複数のエンタルピ交換器モジュール（Ｍ１，Ｍ２，Ｍｉ，Ｍｎ）を備えていることを特徴とする、請求項１又は２に記載の空気処理及び空気調和のためのシステム。
【請求項４】
前記相対湿度の測定は、少なくとも１つのエンタルピ交換器モジュール（Ｍ１，Ｍ２，Ｍｉ，Ｍｎ）のために実行可能であると共に、前記第１空気流（Ｆ１）が前記複数のエンタルピ交換器モジュールのうちの１つに入る前に少なくとも加熱され得るように、前記システムは設計されていることを特徴とする、請求項１〜３のうちいずれか一項に記載の空気処理及び空気調和のためのシステム。
【請求項５】
前記エンタルピ交換器モジュールの入口にて測定された前記相対湿度が所定の値を上回る場合に、前記制御手段（６）は、前記第１空気流（Ｆ１）が前記複数のエンタルピ交換器モジュール（Ｍ１，Ｍ２，Ｍｉ，Ｍｎ）の各々に入る前に前記第１気流（Ｆ１）への熱供給を命令するように構成されていることを特徴とする、請求項３または４に記載の空気処理及び空気調和のためのシステム。
【請求項６】
前記システムは、前記第１空気流（Ｆ１）と前記第２空気流（Ｆ２）とを前記エンタルピ交換器モジュールにおいて対向流的に循環させるように設計されていることを特徴とする、請求項１から５のうちいずれか一項に記載の空気処理及び空気調和のためのシステム。
【請求項７】
前記各エンタルピ交換器モジュールは、防水性且つ通気性膜タイプのモジュールであることを特徴とする、請求項１〜６のうちいずれか一項に記載の空気処理及び空気調和のためのシステム。
【請求項８】
スタッキング方向（３０）に沿って連続的に配置された複数のエンタルピ交換器モジュール（Ｍ１，Ｍ２，Ｍｉ，Ｍｎ）を備え、
当該複数のエンタルピ交換器モジュールのうち直接連続している任意の２つは、接触領域（３４）を有し、
当該接触領域（３４）の両側に、前記空気流の２つの中間通過チャンバ（３６，３８）がそれぞれ配置され、
当該チャンバの各々は、前記２つのモジュールの一方の空気流出口と、前記２つのモジュールの他方の空気流入口とにより部分的に画成されていることを特徴とする、請求項１〜７のうちいずれか一項に記載の空気処理及び空気調和のためのシステム。
【請求項９】
前記システムは、冷気を容積の内部に、好ましくは建造物（２００）に供給することを好ましくは目的とし、
前記第１空気流（Ｆ１）は、前記容積内に導入されることを目的とした空気流、好ましくは外部空気流であって、
前記第２空気流（Ｆ２）は、前記容積の内部から排出される空気流であって、当該空気流は、前記容積が建造物である場合に汚れた空気流に相応する、ことを特徴とする、請求項１〜８のうちいずれか一項に記載の空気処理及び空気調和のためのシステム。
【請求項１０】
請求項１〜９のうちいずれか一項に記載のシステム（１００）を用いて実行される、空気処理及び空気調和のための方法であって、
前記エンタルピ交換器モジュール（Ｍｉ）の入口における前記第１空気流（Ｆ１）の相対湿度（ｈｒｉ）を測定するステップと、
前記相対湿度（ｈｒｉ）が所定の値（ｈｒｒ）を上回る場合、前記第１空気流（Ｆ１）が前記エンタルピ交換器モジュール（Ｍｉ）に入る前に前記第１空気流（Ｆ１）への熱供給を命令するステップとを含む、方法。
【発明の詳細な説明】
【技術分野】
【０００１】
本発明は、空気処理及び空気調和ための、例えば、東南アジア地域の高温多湿型気候に晒される建造物のためのシステム及び方法に関する。しかし、その他の用途も可能である。例えば、本発明を、製紙業、食品産業、及び、マイクロ電子産業などにおける空気乾燥の課題を含む、産業用途に関連する空気容積にも適用できる。
【０００２】
本発明は、より正確には、二重(dual)空気流交換器を具備するこのようなシステムであって、これらの交換器を通過する両空気流間の熱伝達、並びに、湿度／水蒸気移動を可能にするタイプのシステムに関する。
【０００３】
従って、本発明は、建造物（好ましくは、住宅及びサービス産業用）のための空気処理及び空気調和に適用される。従って、交換器は、汚れた空気流と外部空気流との間の熱伝達を保証するだけでなく、最も湿度の高い環境から最も乾燥した環境への、両空気流間の水蒸気移動も保証する。
【背景技術】
【０００４】
高温多湿型気候において、外部空気流（新鮮な空気流とも称す）は、高温（例えば約３０℃〜３５℃）及び高相対湿度（例えば約９０％〜９５％）を有し得る。従って、これらの条件下では、水蒸気移動が、外部空気流から汚れた空気流へと生じる。しかし、外部空気流の相対湿度が非常に高い場合、交換器内での凝結の危険性があり、これは、交換器の適切な動作、交換器の確実性及びプロセスの健全性に有害である。実際、交換器を通過する両空気流間の水蒸気移動が外部空気流の絶対湿度の低減に寄与するとしても、その一方で、相対湿度は、交換器内のこの同一の外部空気流を冷却することにより増大される。これに関し、絶対湿度が、乾燥空気１キログラムあたりの水蒸気密度に対応し、一方、相対湿度が、部分蒸気圧の、飽和蒸気圧（空気がもはやそれ以上蒸気を含むことが不可能で、そうでなくても蒸気が凝縮するという圧力）に対する比率に対応することに留意されたい。
【０００５】
先行技術において、（例えば、蒸気圧縮冷凍ユニットの上流に設置できる）エンタルピ交換器の実装に関する幾つかの方法がある。例として、これらの方法は、乾燥ホイールの使用（これもまた先行技術から公知）の代替方法であるが、本発明の一つからかなり離れた分野に属する。
【０００６】
エンタルピ交換器の解決方法に関し、これらの方法のうちほとんどが、交換器内での凝結リスクの問題を解決しない。しかし、１つの解決方法が特許文献１に提示されている。特許文献１は、外部空気流が過度に高い相対湿度を有する場合にエンタルピ交換器を迂回する可能性を開示している。しかし、外部空気流が交換器を通過することを否定することにより、汚れた空気流に関連付けられるエネルギーが使用されないままとなるため、システムに重大な効率損失が生じる。
【先行技術文献】
【特許文献】
【０００７】
【特許文献１】欧州特許第２４９８０１３号明細書
【発明の概要】
【発明が解決しようとする課題】
【０００８】
従って、エンタルピ交換器を用いた空気処理及び空気調和のためのこれらのシステムを、特に高湿度外部空気流の凝結リスクに対処するように最適化する必要がある。
【課題を解決するための手段】
【０００９】
この問題に対処するために、本発明の目的は、第１に、少なくとも１つの二重空気流エンタルピ交換器モジュールを備えた、空気処理及び空気調和のためのシステムであって、前記両方の空気流（それぞれ、第１の空気流および当該第１空気流よりも低い温度及び絶対湿度を有する第２の空気流から成る）間での熱伝達及び水蒸気移動を可能にするシステムを提供することである。
【００１０】
本発明によれば、このシステムは、
前記エンタルピ交換器モジュールの入口における前記第１空気流の相対湿度を測定するための手段と、
前記相対湿度が所定の値を上回っている場合に、前記第１空気流が前記エンタルピ交換器モジュールに入る前に前記第１空気流への熱供給を命令するように構成されている制御手段と、をさらに備える。
【００１１】
従って、本発明の新規性は、飽和カーブに過度に近い状態の第１の空気流を必要に応じて加熱することにある。従って、最高空気流温度への上昇が手際よく実行される。単にこの第１空気流の温度を上昇させることにより、その相対湿度が低減されるので、交換器モジュールにおける凝結リスクが生じにくくなる。この解決方法は、一方では、先行技術にて提示されたような交換器の迂回を回避するという点で有利であり、他方では、空気流を所定の値よりも低い相対湿度に維持するのに必要な熱供給を少なくできるという点で有利である。
【００１２】
好ましくは、本発明のシステムは、さらに、前記第１気流が前記エンタルピ交換器モジュールから出た後に通過する蒸発器及びコンデンサを具備する蒸気圧縮冷凍ユニットを備える。このシステムは、前記熱供給が前記加熱ユニットから、好ましくは、このユニットを通過する冷媒流体の一部から行われるように設計されている。或いは、前記熱供給が、前記冷凍ユニットの前記コンデンサの動作中に発生される熱に由来することも可能である。この場合、熱供給は、コンデンサの冷媒流体（この流体は通常、空気である）により実行されることになる。
【００１３】
この熱供給を提供するためのその他の解決方法も考慮すべきであり、好ましくは、再生可能エネルギーに由来する。それは、典型的にはソーラーコレクタ又は、抵抗素子であってもよい。冷凍ユニットにてエネルギーを引き出すことを目的とする上記の解決方法は、熱力学サイクルの不可避のエネルギーの全部又は一部がこのような冷凍ユニット内で回収されることを可能にするという点で特に有利である。
【００１４】
好ましくは、本発明のシステムは、前記第１空気流、好ましくは外部空気流への前記熱供給を提供するように設計された第２の交換器を備えている。
【００１５】
この第２交換器を作製するために、任意の技術が、使用される流体（すなわち、液体、ガス流体、又はこれらの両方の混合物）に応じて、及び、エネルギーのタイプ（すなわち、感受性エネルギー、潜在的エネルギー、又は、ジュール効果エネルギー）に応じて可能である。可能な実施形態において、前記第１空気流、及び、前記冷媒流体の、前記ユニットに流入する部分が前記第２交換器を通過し、この加熱された流体が前記コンプレッサから出て、必要なカロリーが前記第１空気流に運ばれることを実際に可能にする。しかし、本発明の範囲から逸脱せずに、前記冷凍ユニット内で発生した熱を引き出して、その熱を加熱されるべき前記第１空気流へと運ぶその他の任意の方法も可能である。
【００１６】
好ましくは、前記システムは、直列に配列された複数のエンタルピ交換器モジュールを備え、これらの交換器モジュールは「、前記第１空気流及び前記第２空気流を連続的に通過させる。
【００１７】
好ましくは、前記システムは、前記相対湿度の測定が複数のエンタルピ交換器モジュールのうちの少なくとも一つのために実行可能となる共に、前記第１空気流が前記複数のエンタルピ交換器モジュールの１つに入る前に少なくとも加熱され得るように設計されている。
【００１８】
より好ましくは、前記制御手段は、前記エンタルピ交換器モジュールの入口にて測定された前記相対湿度が所定の値を上回っている場合の、前記第１空気流が前記モジュールの各々に入る前の前記第１空気流への熱供給を命令するように設計されている。
【００１９】
従って、この例において、前記相対湿度は、前記エンタルピ交換器を共に形成している前記複数のモジュールの各々の入口にて測定される。そして、熱供給は、モジュールごとに個々に、所定の値と比較することにより制御される。この、所定の値は、優先的には、全ての交換器モジュールにおいて同一であるが、モジュールに応じて異なっていてもよい。
【００２０】
別の代替方法も可能であり、本発明によりカバーされる。例えば、相対湿度の測定は、限られた個数ｎ（１以上）のモジュールに対してのみ行われ得るが、熱供給は、ｍ個（ｎ以上の個数）のモジュールの入口にて与えられ得る。例として、第１のエンタルピ交換器モジュールの入口にて第１の空気流の相対湿度を測定することによってのみ、熱供給が、エンタルピ交換器を形成している１又は複数のモジュールの入口にて命令され得る。
【００２１】
いずれの場合においても、熱供給が調整され、例えば、相対湿度が所定の値に達した場合にのみ停止され得る。又は、命令は、単に、決められた量の熱（おそらくは、相対湿度の測定値の関数）の供給をもたらすだけでよい。
【００２２】
いずれの場合においても、交換器モジュールを増加し、外部空気流を、異なる交換器モジュールに入るときに連続的に加熱することは、外部空気流への熱供給を用いることの合理化、及び、前記モジュール内で許容される相対湿度の最大値の増大に寄与する。これに関し、異なるモジュールにおける、広く可変の入口条件に対し、カスケード構成が、使用されるべき熱量のより微細な調整、考慮されるべき安全性限界の最小化、従って、使用されるエネルギーの合理化の概念を可能にすることに留意されたい。これは、起こり得る全ての場合に適合可能なようにより大きい安全限界を用いなければならないような単一のモジュール構成とは対照的である。
【００２３】
エネルギーが合理的に使用されることを可能にし、尚且つ、エンタルピ交換器における有害な凝結発生を回避するこのシステムにおいて、好ましくは、外部空気流と汚れた空気流とをエンタルピ交換器モジュール内で対向流的に再循環させる。並流式の解決方法が可能であっても、引き出されるエネルギーをより一層合理的に使用することで外部空気流を加熱するという理由で対向流式の本発明の解決方法が好ましい。
【００２４】
各エンタルピ交換器モジュールは、プレート、管状、又は、その他の交換器であることに関わらず、液体水密性で且つ水蒸気透過性の、防水および通気性膜タイプのモジュールであることが好ましい。
【００２５】
好ましくは、本発明のシステムは、スタッキング方向に沿って連続的に配置された複数のエンタルピ交換器モジュールを備えており、当該複数モジュールのうち直接連続している任意の２つが接触領域を有し、当該接触領域の両側に、前記空気流の２つの中間通過チャンバがそれぞれ配置され、当該チャンバの各々が、当該２つのモジュールの一方の空気流出口と、当該２つのモジュールの他方の空気流入口とにより部分的に画成されている。
【００２６】
好ましくは、空気処理及び空気調和のための本発明のシステムは、冷気を、好ましくは建造物である容積の内部に供給することを目的としている。前記第１空気流は、前記容積内に導入される空気流、好ましくは外部空気流である。前記第２空気流は、前記容積の内部から排出され、前記容積が建造物である場合に汚れた空気流に相応する空気流である。
【００２７】
また、本発明の目的は、上記システムを用いて実行される、空気処理及び空気調和のための方法であり、当該方法は、前記エンタルピ交換器モジュールの入口における前記第１気流の相対湿度を測定するステップと、前記相対湿度が所定の値を上回っている場合、前記第１空気流が前記エンタルピ交換器モジュールに入る前に前記第１空気流への熱供給を命令するステップとを含む。
【００２８】
本発明のさらなる利点及び特徴が、以下の非限定的な詳細な説明において明らかになろう。この説明は、添付図面を参照しつつ行なわれる。
【図面の簡単な説明】
【００２９】
【図１】本発明の好ましい実施形態による、空気処理及び空気調和のためのシステムの概略図である。
【図２】エンタルピ交換器が複数のモジュールを有する異なる設計を有する、図１の概略図に類似の図である。
【図３】図２に示した空気処理及び空気調和のためのシステムに組み込まれた制御手段により提供される制御論理を概略的に示すチャートである。
【図４】エンタルピ交換器が、直列に配置された４つのモジュールを含む、図１の概略図に類似の図である。
【図５】図４の図に示された符号に対応するアルファベットの参照符号が記された湿度図表である。
【図６】本発明による空気処理及び空気調和のためのシステムに組み込まれることを意図されているエンタルピ交換器の実施形態の、より詳細な斜視図である。
【発明を実施するための形態】
【００３０】
最初に図１を参照すると、建物２００（好ましくは、東南アジア地域の高温多湿型気候に晒されるような建物）の内部に冷気を供給するための空気処理及び空気調和のためのシステム１００が示されている。システム１００は、第１にエンタルピ交換器２を備え、また、この交換器２と建物２００との間に介在する蒸気圧縮冷凍ユニット４も備えている。制御手段がエンタルピ交換器２に関連付けられ、また蒸気圧縮冷凍ユニット４にも関連付けられ得る。
【００３１】
エンタルピ交換器２は慣用のタイプの交換器である。すなわち、第１の外部空気流Ｆ１と、建物２００内部から排出される第２の汚れた空気流Ｆ２とが、有利にはエンタルピ交換器２を対向流的に通過するように意図されており、且つ、第１の外部空気流Ｆ１よりも低い温度及び絶対湿度を有する。
【００３２】
従って、交換器２は、汚れた空気流Ｆ２と外部空気流Ｆ１との間の熱伝達を保証する。すなわち、熱交換器は、汚れた空気流Ｆ２に含まれる冷たさを利用して熱い外部空気流Ｆ１を冷却するために設けられている。もちろん、空気流Ｆ１から、より冷たい空気流Ｆ２に顕熱が移動され、その結果、外部からの熱い空気流Ｆ１の温度が低下することが理解されよう。
【００３３】
同時に、エンタルピ交換器２が設けられていることにより、外部空気流Ｆ１に含まれる水蒸気の一部が、汚れた空気流Ｆ２（乾燥空気１キログラムあたりの水蒸気密度（絶対湿度）がより低い）に、空気流Ｆ２が建物２００から出ていくときに移動する。
【００３４】
システム１００のこの動作モード（建物２００の冷却モードに対応する）において、エンタルピ交換器２から出た外部空気流Ｆ１は、蒸気圧縮冷凍ユニット４の蒸発器１０及びコンデンサ（凝縮器）１２を連続的に通過する。当業者により公知の慣用的な方法において、このユニット４は、冷却／冷媒流体１４を含み、冷却／冷媒流体１４は、コンプレッサ（圧縮器）１６、コンデンサ（凝縮器）１２、膨張弁１８、及び蒸発器１０に連続的に流入し、その後、コンプレッサ１６に戻される。
【００３５】
外部空気流Ｆ１は、最初に蒸発器１０を通過し、それにより冷却、湿度飽和、凝縮され、それにより、空気処理のための適切な絶対湿度レベルに達する。その後、外部空気流Ｆ１は、コンデンサ１２を通過することでコンデンサ１２内で温度が増大され、それと共に相対湿度が低減され、絶対湿度は一定のままである。これは、外部空気流Ｆ１が建物２００内部で良好な湿度及び温度状況にされることを可能にする。
【００３６】
さらに図１を参照すると、本発明の特徴の１つとして、本発明のシステムが、さらに、交換器２の入口での外部空気流Ｆ１の相対湿度の測定を可能にする手段２０を含むことが理解されよう。これらの手段は、当業者より適切とみなされる任意の設計、例えば湿度センサであり得る。制御手段６に通信されるこの測定の関数として、手段２０は、相対湿度のこの所定の値が所定の値を超えている場合に外部空気流Ｆ１への、エンタルピ交換器２に入る前の熱供給を命令するように構成されている。
【００３７】
相対湿度の顕熱エネルギー供給が始動される予め決められた閾値は、エンタルピ交換器のサイジングデータに基づいて、及び、エンタルピ交換器のエンタルピ効率に関する情報に基づいて定められ得る。このエンタルピ効率は、動作条件、交換器の形状寸法データ、及び、用いられている技術に依存する。従って、防水−通気性の膜交換器の場合、エンタルピ効率は、前記膜の物理的特性、特には、水蒸気移動に関連する特性（例えば、フィック型拡散係数、膜の最大吸水、及び、吸収定数）に依存する。
【００３８】
このように処理を進めることにより、外部空気流Ｆ１の温度を、外部空気流Ｆ１が交換器２に入る前に増大させ、それにより、交換器２の適切な動作に有害な凝結リスクを抑制することが可能である。
【００３９】
図１に示されている好ましい実施形態において、熱供給は、コンプレッサ１６を出た後にその一部が分流される冷媒流体によりもたらされる。この分流をつくるために、コンデンサ１２の上流のタッピング２６ａを有する回路２６が設けられ、冷媒流体１４の一部が第２の交換器２２の入口まで運ばれることを可能にしている。この交換器２２の出口においては、冷媒流体は、回路２６によりコンデンサ１２の下流の第２のタッピング２６ｂまで戻され、これにより、冷凍ユニット４に再導入される。
【００４０】
従って、第２交換器２２は、一方では外部空気流Ｆ１を通過させ、他方では、コンプレッサ１６の下流にて引き出された冷媒流体１４の一部を通過させる。回路２６を通過する冷媒流体の流量は、手段６により制御される弁２８により制御される。もちろん、第２交換器２２に関し、適切とみなされるいずれの設計（例えば、フィン付き管交換器タイプ）も考えられる。
【００４１】
第２交換器２２の方向に引き出されたエネルギーが、膨張弁１８における流体の膨張前に適切な熱力学的状況に達することを可能にしない場合、その上流に、補助コンデンサ（凝縮器）を形成しているユニットヒータ２７が設けられることに留意されたい。従って、このユニットヒータ２７は、一方では、コンデンサ１２から出た後の冷媒流体１４を通過させ、他方では、外部空気流Ｆ３を通過させる。
【００４２】
第２交換器２２に運ばれる熱の量は調整可能であり、これは、例えば、センサ２０により測定された空気流Ｆ１の相対湿度値が所定の値（遭遇するニーズに応じて関数として操作者により入力され得る）に達した場合にのみ停止されることにより行われる。また、この値には、交換器の設計が、凝結リスクに関連する湿った空気流に対する感度に従って考慮される。この感度が、膜を通る水蒸気の移動効率に大いに関係していることに留意されたい。
【００４３】
ここで図２を参照すると、エンタルピ交換器２が複数のエンタルピ交換器モジュールＭ１，Ｍ２，…、Ｍｉ，…、Ｍｎから成る別の実施形態が示されている。これらのモジュールは直列に配列され、モジュールの各々に、外部空気流Ｆ１と汚れた空気流Ｆ２とが常に対向流的に流入してモジュールを連続的に通過している。この例においては、第２交換器２２は、各モジュールに関連付けられて外部空気流Ｆ１の入口の上流に存在している。これらの交換器は弁２８を介して手段６により制御され、また、これらの第２交換器２２は各々が相対湿度センサ２０にも関連付けられており、センサ２０は、測定された値をこれらの同一の手段６に伝達する。
【００４４】
このような構成の利点は、熱を外部空気流Ｆ１に、外部空気流Ｆ１が各モジュールに入る前に運ぶことが可能であり、すなわち、外部空気流Ｆ１が各モジュールに流入する前の熱供給を連続的に行うことである。
【００４５】
図３に図式的に示されているように、交換器モジュールの各々に関する制御論理が示されている。この制御論理は、例えば、各モジュールＭｉのために設けられて、関連する交換器モジュールＭｉの入口における相対湿度ｈｒｉの、センサ２０を用いた測定を実行する。この値ｈｒｉが相対湿度の基準値ｈｒｒ（上記の所定の値に対応する）よりも大きい場合、外部空気流Ｆ１は、関連する第２交換器２２により加熱される。これは、冷媒流体１４が第２交換器２２に流入することを保証する弁２８を制御することにより行われる。これとは逆の、すなわち、値ｈｒｉが値ｈｒｒより低い状態を維持している場合には操作は実行されず、すなわち、外部空気流Ｆ１は、次のモジュールに導入される前に加熱されない。
【００４６】
相対湿度ｈｒｒの基準値は、各交換器モジュールＭｉにおいて同一であっても、異なっていてもよい。例として、この値は、モジュールが同一の又は類似の設計である場合、優先的には、交換器モジュールの全てにおいて同一である。
【００４７】
このような手順は、外部空気流Ｆ１を、基準相対湿度ｈｒｒよりも低い相対湿度を有するように永久的に保つことを可能にする。これは、エンタルピ交換器モジュールのために非常に重要とみなされ、少ないエネルギー量で連続的に熱供給することにより簡単に行われる。
【００４８】
図４の実施形態は、直列に配置された複数の連続的なモジュールＭ１、Ｍ２、Ｍ３、Ｍ４を有するエンタルピ交換器２を有するという点で、図２に示した実施形態と類似である。
【００４９】
この図４において、汚れた空気流Ｆ２、及び、外部空気流Ｆ１の複数の基準点が、エンタルピ交換器２と建物２００との間のこれらの空気流の経路に沿った異なる場所にて特定されている。これらの同じ基準点が図５の湿度図表に記されており、これらの場所の各々における空気調和に関する情報を示している。
【００５０】
また、図４及び図５を参照すると、点Ａ（交換器２の入口に対応）における外部空気流Ｆ１が高温及び高相対湿度を有することが示され、外気の高温多湿気象条件を表している。
【００５１】
空気流Ｆ１は、空気流Ｆ１の相対湿度が基準相対湿度を上回っている場合、第１モジュールＭ１に導入される前に第２交換器２２により加熱される。この加熱はチャート上の線ＡＡ’により示され、点Ａ’は、第１交換器モジュールＭ１の入口に対応している。このモジュール内で空気流Ｆ１が冷却され、また、その絶対湿度を解除し、これは、湿度が飽和カーブ（図５に点線で示す）に近づくことを促進する。点Ａ１は、第１モジュールＭ１の出口における（空気流Ｆ１が第２モジュールＭ２に入る前の、及び、この同じモジュールＭ２への導入前の生じ得る加熱の前の）空気流Ｆ１の状態を示す。ここで、先に述べたのと同様に、空気流Ｆ１は、第２モジュールＭ２に入る前に点Ａ’１にて再び加熱され、点Ａ’１からこの第２モジュールＭ２を通過し、それによりモジュールＭ２内で冷却されてその湿度の一部が放出される。これは、空気流Ｆ１が点Ａ２にてモジュールＭ２から出ていくまで続く。点Ａ２においては、図５に示されているように、空気流Ｆ１の飽和カーブに近づいた状態である。これと類似の現象が、この空気流Ｆ１が第３のモジュールＭ３及び第４のモジュールを通過する前及びその最中に観察され、点Ａと点Ｂとの間のジグザグ／カスケードチャートに示されている。点Ａ及び点Ｂは、それぞれ、エンタルピ交換器２への空気流Ｆ１の入口点、及び、同じ空気流Ｆ１の、交換器からの出口点に対応している。
【００５２】
従って、空気流Ｆ１がこの交換器２から引き出されるとき、蒸発器１０を通過して点Ｃまで移動する。この通過により、最初に空気流Ｆ１が温度低減され、その飽和カーブに近づく。これは、点Ｃにて空気流Ｆ１の最低温度に達するまで続く。また、点Ｃにおいて、空気流Ｆ１は所望の絶対湿度レベルも有する。次いで、空気流Ｆ１がコンデンサ１２を通過することにより、空気流Ｆ１は、建物２００に入るための所望の温度に加熱され、そして、所定の相対湿度レベルにされる。この相対湿度レベルは、空気調和されるべき空気容積のための所望のニーズ（快適温度仕様に関連）にも対応している。
【００５３】
この動作モードを用いると、例として、外部空気は、エンタルピ交換器２に入る前に３５℃の温度及び９０％の相対湿度に到達でき、一方、点Ｅにおける、建物２００から出てくる汚れた空気流は、約２２℃の温度及び約５０％の相対湿度を有し得る。また、図５の湿度図表において、点Ｄと点Ｅとの間の線分は、建物２００を通過している間の空気の、温度の増大及び絶対湿度レベルの増大を伴う変化を表し得る。汚れた空気流Ｆ２に関するこれらの値は点Ｅと点Ｆとの間で増大し続け、これは、この空気流Ｆ２がエンタルピ交換器２を外部空気流Ｆ１と共に対向流的に通過することに対応している。
【００５４】
ここで図６を参照すると、優れた設計を有する、直列に配置された５つのモジュール（Ｍ１〜Ｍ５）を含むエンタルピ交換器２の例示的な実施形態が示されている。先に記載したその他の実施形態と同様に、交換器モジュールＭ１〜Ｍ５は、当業者に公知の、プレート及び防水−通気性膜を有する設計である。このような交換器は、例えば、仏国特許第２９６５８９７号明細書に記載されている。
【００５５】
実際、この設計は、モジュールが互いに連続している方向３０に直交する方向３１に沿ったプレートのスタッキングに依存している。この実施形態において、モジュールは、それらのスタッキング方向３０に沿って２つが接触している。また、直接連続している２つのモジュールは、それらの中央部分において、共に接触領域３４を画成し、接触領域３４の両側に、空気流の２つの中間通路チャンバが配置されている。空気流Ｆ１の中間通路チャンバが最初に存在し（番号３６で示す）また、空気流Ｆ２の中間通路チャンバ（番号３８で示す）も存在する。
【００５６】
図６に見られるように、チャンバ３６が互い違いに配置され、チャンバ３８もまた互い違いに配置されている。各チャンバ３６は第２交換器２２を収容しており、第２交換器２２は、冷媒流体を供給及び排出するためのパイプ４０を有する。冷媒流体は交換器２を通過して、システムの冷凍ユニットに取り付けられているコンデンサへと向かう。この場合、各エンタルピ交換器モジュールは、全体の形状が、六角形のベース又はダイヤモンド形状のベースを有する真直なプリズムの形状である。従って、各中間チャンバ３６，３８は、全体の形状が三角形断面の形状であり、三角形の斜辺の１つ(leg)がモジュールの一方の空気流入口により画成され、三角形の斜辺の別の１つが他方のモジュールの空気流出口により画成されている。そして、第３の辺が、方向３０に沿った交換器に沿って横方向に延在するケーシング４４に対応している。好ましくは、複数のケーシング４４が同一の単一のプレートにより形成される。
【００５７】
一方、図示されていないが、上側及び下側のケーシングもモジュールＭ１〜Ｍ５を覆っており、特に、中間チャンバ３６，３８が互いに独立することを可能にしている。
【００５８】
もちろん、単に非限定的な例として以上に記載した本発明に、当業者が様々な改変を行い得る。具体的には、上記の用途は、任意の建造物の冷気供給に関するものであるが、本発明を、より広く適用することで、産業プロセスの分野、例えば製紙業、食品産業及びマイクロ電子産業において処理されるべき空気容積を供給できる。
【符号の説明】
【００５９】
２  エンタルピ交換器
４  蒸気圧縮冷凍ユニット
６  制御手段
１０  蒸発器
１２  コンデンサ（凝縮器）
１４  冷却／冷媒流体
１６  コンプレッサ（圧縮器）
１８  膨張弁
２０  センサ
２２  第２交換器
２６  回路
２６ａ  タッピング
２６ｂ  タッピング
２８  弁
１００  システム
２００  建物
Ａ  交換器入口
Ａ’  モジュール入口
Ｆ１  外部空気流
Ｆ２  汚れた空気流
Ｍ１  エンタルピ交換モジュール
【図１】
0006454334.tif 000002
【図２】
0006454334.tif 000003
【図３】
0006454334.tif 000004
【図４】
0006454334.tif 000005
【図５】
0006454334.tif 000006
【図６】
0006454334.tif 000007